(57)【要約】【課題】臨時的な足場の簡易的な形成の際に簡便に所定の着脱が可能になり、構造も簡単で、堅牢な着脱可能な足場を提供する。【解決手段】高さ方向に伸びる構造物を構成する部材であるアングル材等のプレートに着脱可能に装着される着脱可能な足場であって、相対向する内側面がプレートにそれぞれ当接される平面１Ａ，２Ａで、かつ平面１Ａ，２Ａの反対面である外側面が一方向に向けて肉厚を漸増させる傾斜面１Ｂ，２Ｂとなっている一対の楔部材１，２と、コ字状の相対向する面に、傾斜面１Ｂ，２Ｂに当接し得る傾斜面３Ａ，３Ｂが形成され、前記一方向に向けて楔部材１，２に嵌入されるコ字状の固定部材３と、固定部材３の少なくとも一つの外周面から前記一方向に交差する方向に突出させて固定部材３に固着されたステップボルト６とを有する。【選択図】  図１
2013170399.tif 000002
【特許請求の範囲】
【請求項１】
高さ方向に伸びる構造物を構成する部材であるプレートに着脱可能に装着される着脱可能な足場であって、
相対向する内側面が前記プレートにそれぞれ当接される平面で、かつ前記内側面の反対面であるそれぞれの外側面が一方向に向けて肉厚を漸増させる傾斜面となっている２個で一対の楔部材と、
コ字状の相対向する面に、前記傾斜面に当接し得る傾斜面が形成され、前記一方向に向けて前記楔部材に嵌入されるコ字状の固定部材と、
前記固定部材の少なくとも一つの外周面から前記一方向に交差する方向に突出させて前記固定部材に固着されたステップボルトとを有することを特徴とする着脱可能な足場。
【請求項２】
請求項１に記載する着脱可能な足場において、
前記楔部材は、それぞれが前記固定部材に連結されていることを特徴とする着脱可能な足場。
【請求項３】
請求項２に記載する着脱可能な足場において、
前記楔部材にはその内側面側から外側面側に向けて貫通されるとともに前記傾斜面の傾斜方向に伸びる長孔がそれぞれ形成され、
前記楔部材の前記内側面側から前記長孔を貫通する連結ピンを介して前記各楔部材と固定部材とを連結したことを特徴とする着脱可能な足場。
【請求項４】
請求項１〜請求項３の何れか一つに記載する着脱可能な足場の前記楔部材のそれぞれの内側面である前記平面を、上下方向に伸びる前記プレートの相対向する両面に当接させるとともに、前記楔部材の上方から前記固定部材を前記楔部材に嵌め込んで拘束する一方、下方に向けて固定部材を叩き込み、固定部材の傾斜面で楔部材の傾斜面を介して各楔部材を押圧することにより各楔部材を相寄る方向に移動させて楔部材で前記プレートを挟持し、
さらに前記プレートを挟持した状態での前記固定部材の下端面を上方に向けて叩くことにより各楔部材を相離れる方向に移動させて楔部材による前記プレートの挟持を解除して前記プレートから前記足場を撤去することを特徴とする着脱可能な足場の着脱方法。
【発明の詳細な説明】
【技術分野】
【０００１】
本発明は着脱可能な足場およびその着脱方法に関し、特に鉄塔に対し昇降用ないし作業用足場となるステップボルトを着脱する場合、すなわち臨時的な足場を形成する場合に適用して有用なものである。
【背景技術】
【０００２】
送電線鉄塔は、その多くがアングル材（等辺山型鋼）を構造部材として構成してある。かかる送電線鉄塔には所定の作業のための昇降用ないし足場用のステップボルトが取り付けられている。従来技術に係る、この種のステップボルトは多くが恒久的な設備として鉄塔等の構造部材に孔をあけて固着される。
【０００３】
一方、作業の内容によっては臨時的な足場が必要な場合も発生する。かかる臨時的な足場を作る場合に、アングル材に対する孔あけ加工を伴う従来の固定方式では作業量が多くなり、不経済であるという問題が発生する。そこで、かかる孔あけ加工が不要なステップボルトとして、例えば特許文献１に開示するようなステップボルト支持装置が提案されている。これは、鉄塔脚部を構成するＬ字状のアングル材に幅方向から抑圧係止させてステップボルトを取り付けるものである。
【先行技術文献】
【特許文献】
【０００４】
【特許文献１】特開２００９−２７８８５３号公報
【発明の概要】
【発明が解決しようとする課題】
【０００５】
ところが、特許文献１に開示されたステップボルトでは、抑圧係止のために多くの部品を必要とするばかりでなく、着脱に時間を要するという問題がある。加えて、一個当たりの重量も大きく運搬性を含めた作業性に与える影響も大きく、着脱作業にモンキースパナ等の専用工具も必要になる。
【０００６】
この結果、鉄塔脚部の構造材に対し着脱可能に構成したステップボルトであっても、従来技術に係るものは、特許文献１に開示するものをはじめ、作業性、簡便性、運搬性等の面で難がある。
【０００７】
本発明は、上記従来技術に鑑み、臨時的な足場の簡易的な形成の際に簡便に所定の着脱が可能になり、構造も簡単で、堅牢な着脱可能な足場およびその着脱方法を提供することを目的とする。
【課題を解決するための手段】
【０００８】
本発明の第１の態様は、
高さ方向に伸びる構造物を構成する部材であるプレートに着脱可能に装着される着脱可能な足場であって、
相対向する内側面が前記プレートにそれぞれ当接される平面で、かつ前記内側面の反対面であるそれぞれの外側面が一方向に向けて肉厚を漸増させる傾斜面となっている２個で一対の楔部材と、
コ字状の相対向する面に、前記傾斜面に当接し得る傾斜面が形成され、前記一方向に向けて前記楔部材に嵌入されるコ字状の固定部材と、
前記固定部材の少なくとも一つの外周面から前記一方向に交差する方向に突出させて前記固定部材に固着されたステップボルトとを有することを特徴とする着脱可能な足場にある。
【０００９】
本発明の第２の態様は、
第１の態様に記載する着脱可能な足場において、
前記楔部材は、それぞれが前記固定部材に連結されていることを特徴とする着脱可能な足場にある。
【００１０】
本発明の第３の態様は、
第２の態様に記載する着脱可能な足場において、
前記楔部材にはその内側面側から外側面側に向けて貫通されるとともに前記傾斜面の傾斜方向に伸びる長孔がそれぞれ形成され、
前記楔部材の前記内側面側から前記長孔を貫通する連結ピンを介して前記各楔部材と固定部材とを連結したことを特徴とする着脱可能な足場にある。
【００１１】
本発明の第４の態様は、
第１〜第３の態様の何れか一つに記載する着脱可能な足場の前記楔部材のそれぞれの内側面である前記平面を、上下方向に伸びる前記プレートの相対向する両面に当接させるとともに、前記楔部材の上方から前記固定部材を前記楔部材に嵌め込んで拘束する一方、下方に向けて固定部材を叩き込み、固定部材の傾斜面で楔部材の傾斜面を介して各楔部材を押圧することにより各楔部材を相寄る方向に移動させて楔部材で前記プレートを挟持し、
さらに前記プレートを挟持した状態での前記固定部材の下端面を上方に向けて叩くことにより各楔部材を相離れる方向に移動させて楔部材による前記プレートの挟持を解除して前記プレートから前記足場を撤去することを特徴とする着脱可能な足場の着脱方法にある。
【発明の効果】
【００１２】
本発明によれば、例えば鉄塔の構造部材である固定部となるアングル材等のプレートの両面に、それぞれ楔部材の平面である内側面を当接させた状態で、コ字状の固定部材で前記楔部材の傾斜面である外側面を利用して前記プレートの厚さ方向に寄せることができる。この結果、楔部材はプレートをその両面から強固に挟持することで、プレートに固着される。したがって、楔部材の前記内周面に対し交差する方向に突出するように前記固定部材に取付けられたステップボルトを用いた足場を簡易に構成することができる。
【００１３】
一方、取り外しの際は、前記固定部材を装着時とは反対方向に移動させることにより、楔部材によるプレートの挟持状態を解除することで簡単に取り外すことができる。
【図面の簡単な説明】
【００１４】
【図１】本発明の実施の形態に係る足場を、固定部材が楔部材に対し、最上部にある状態で示す図で、（ａ）は正面図、（ｂ）はＡ−Ａ′線断面図、（ｃ）は上面図である。
【図２】本発明の実施の形態に係る足場を、固定部材が楔部材に対し、中央部にある状態で示す図で、（ａ）は正面図、（ｂ）はＢ−Ｂ′線断面図である。
【図３】本発明の実施の形態に係る足場を、固定部材が楔部材に対し、最下部にある状態で示す図で、（ａ）は正面図、（ｂ）はＣ−Ｃ′線断面図、（ｃ）は下面図である。
【図４】本発明の実施の形態に係る足場をアングル材に取付けたときの態様を示す斜視図である。
【図５】本発明の実施の形態に係る足場の脱着方法を時系列的に示す説明図である。
【発明を実施するための形態】
【００１５】
以下、本発明の実施の形態を図面に基づき詳細に説明する。
【００１６】
図１は本発明の実施の形態に係る足場を、固定部材が楔部材に対し、最上部にある状態で示す図で、（ａ）は正面図、（ｂ）はＡ−Ａ′線断面図、（ｃ）は上面図である。図２は、本形態に係る足場を、固定部材が楔部材に対し、中央部にある状態で示す図で、（ａ）は正面図、（ｂ）はＢ−Ｂ′線断面図である。図３は、本形態に係る足場を、固定部材が楔部材に対し、最下部にある状態で示す図で、（ａ）は正面図、（ｂ）はＣ−Ｃ′線断面図、（ｃ）は下面図である。
【００１７】
図１〜図３に示すように、楔部材１，２は同形状の部材であり、相対向する内側面が、鉄塔を構成する構造部材である、例えばアングル材等の一方の面で形成されるプレート（図１〜図３には図示せず）にそれぞれ当接される平面１Ａ，２Ａとなっている。ここで、本形態における平面１Ａ，２Ａは、プレートに当接させた状態での滑りを抑制するため、ゴム等の弾性部材や不織布で形成するのが望ましい。一方、楔部材１，２の外側面、すなわち平面１Ａ，２Ａの反対面である外側面は、一方向（図１（ａ）〜図３（ａ）の上から下に向かう方向；以下同じ）に向けて肉厚を漸増させる傾斜面１Ｂ，２Ｂとなっている。
【００１８】
固定部材３は、コ字状の相対向する面に、傾斜面１Ｂ，２Ｂに当接し得る傾斜面３Ａ，３Ｂが形成され、前記一方向に向けて楔部材１，２に嵌入されることにより楔部材１，２を拘束する。
【００１９】
ここで、楔部材１，２には１Ｃ，２Ｃがそれぞれ形成されている。長孔１Ｃ，２Ｃは、各楔部材１，２を、それぞれの内側面側から外側面側に向けて貫通されるとともに傾斜面１Ｂ，２Ｂの傾斜方向に伸びるよう形成されている。長孔１Ｃ，２Ｃには楔部材１，２の内側面側から連結ピン４，５が長孔１Ｃ，２Ｃを貫通するように構成してある。さらに詳言すると、連結ピン４，５はボルトで良好に形成することができ、長孔１Ｃ，２Ｃを貫通してその先端部を固定部材３の傾斜面３Ａ，３Ｂに螺合させて固定してある。一方、連結ピン４，５の基端側の頭部４Ａ，５Ａは長孔１Ｃ，２Ｃの幅よりも若干大きな径を有して、長孔１Ｃ，２Ｃの外部に臨んでいる。すなわち、楔部材１，２は長孔１Ｃ，２Ｃを介して連結ピン４，５で固定部材３に固定される構造となっている。
【００２０】
かくして、本形態では、連結ピン４，５を介して楔部材１，２と固定部材３とを連結するようになっており、連結ピン４，５が長孔１Ｃ，２Ｃにその位置を規制されて長孔１Ｃ，２Ｃを長手方向に移動することにより、固定部材３がその傾斜面３Ａ，３Ｂを介して楔部材１，２の傾斜面１Ｂ，２Ｂに当接しつつ上下方向に移動し得る。かくして、固定部材３を傾斜面１Ｂ，２Ｂに沿って上から下方向に移動させれば、楔部材１，２はその平面１Ａ，２Ａが相寄る方向に移動され、逆方向に移動させれば相離れる方向に移動可能となる。
【００２１】
作業員の足を乗せるステップボルト６は、固定部材３の少なくとも一つの外周面から前記一方向に交差する方向である水平方向に突出させて固定部材３に固着されている。なお、ステップボルト６の数は必要に応じ、固定部材３の残りの他の面に固着することもできる。作業の種類により作業員の足を乗せる位置や作業員の人数が異なるので、作業内容に合わせて柔軟にステップボルト６の固着位置や固着本数を選択する。
【００２２】
図４は、本形態に係る足場を、鉄塔の構造部材となる、例えばアングル材に取付けたときの態様を示す斜視図である。同図に示すように、固定部材３に固着されたステップボルト６は固定部材３に拘束されて楔部材１，２（図４には楔部材２のみを示す）でアングル材７の一方の面を両側から挟持することでアングル材７に固着されている。
【００２３】
かかる足場の脱着方法を図５に基づき時系列的に説明する。まず、図５（ａ）に示すように、固定部材３と一体となった楔部材１，２の平面１Ａ，２Ａ間にプレートであるアングル材７の両面を相対向させる。続いて、図５（ｂ）に示すように、ハンマー８で固定部材３の上端面を下方に叩き込む。この結果、固定部材３の傾斜面３Ａ，３Ｂが楔部材１，２の傾斜面１Ｂ，２Ｂに沿って下降することにより、楔作用により平面１Ａ，２Ａを介して楔部材１，２がアングル材７に強固に固定される。かかる状態で作業員がステップボルト６に足を掛けて所定の作業を行う。この際の作業員の体重は楔部材１，２によるアングル材７の挟持力を増大させるように作用する。
【００２４】
一方、図５（ｂ）に示す状態において、ハンマー８で固定部材３の下端面を上方に叩き上げれば、固定部材３の傾斜面３Ａ，３Ｂが楔部材１，２の傾斜面１Ｂ，２Ｂに沿って上昇し、楔部材１，２によるアングル材７の挟持力が緩んで図５（ｃ）に示すように、楔部材１，２の平面１Ａ，２Ａ間に隙間ができ、図５（ａ）と同様の状態となる。かかる状態では楔部材１，２を固定部材３とともに一体的にアングル材７から取り外すことができる。
【００２５】
なお、本発明は上記実施の形態のみに限定されるものではない。例えば、上記実施の形態において、楔部材１，２は連結ピン４，５を介して固定部材３に連結するように構成したが、これに限定するものではない。当該足場の着脱時に、楔部材１，２の固定部材３からの脱落を防止するだけであれば、紐状の部材で楔部材１，２を固定部材に連結するようなものでも良い。また、楔部材１，２と固定部材３とを連結することは、当該足場の着脱時に、楔部材１，２の固定部材３からの脱落を防止するためだけに必要な構成要件であるので、楔効果を利用して楔部材を固定部材で拘束するような構造になっていれば本発明の技術思想に含めることができる。
【産業上の利用可能性】
【００２６】
本発明は送電線鉄塔等に昇降しての作業を実施する必要がある電力業界等の産業分野において有効に利用することができる。
【符号の説明】
【００２７】
１，２                      楔部材
１Ａ，２Ａ                  平面
１Ｂ，２Ｂ                  傾斜面
１Ｃ，２Ｃ                  長孔
３                          固定部材
３Ａ，３Ｂ                  傾斜面
４，５                      連結ピン
６                          ステップボルト
７                          アングル材
【図１】
2013170399.tif 000003
【図２】
2013170399.tif 000004
【図３】
2013170399.tif 000005
【図４】
2013170399.tif 000006
【図５】
2013170399.tif 000007